【手続補正書】
【提出日】平成21年10月23日(2009.10.23)
【手続補正１】
【補正対象書類名】特許請求の範囲
【補正対象項目名】全文
【補正方法】変更
【補正の内容】
【特許請求の範囲】
【請求項１】
ａ．  少なくとも６の摩擦レイティングを有するポリウレタン樹脂；
ｂ．有機溶剤；および
ｃ．着色剤を含む印刷インキ。
【請求項２】
ポリウレタン樹脂が少なくとも１つの脂肪族ジイソシアネートおよび少なくとも１つの芳香族ジイソシアネートの混合物と、少なくとも１つのイソシアネート反応性化合物との反応生成物である、請求項１記載の印刷インキ。
【請求項３】
ポリウレタン樹脂が少なくとも１０，０００の分子量を有する、請求項１記載の印刷インキ。
【請求項４】
ポリウレタン樹脂が約１０重量％から約６０重量％の量で存在し、溶剤が約１重量％から約７０重量％の量で存在し、着色剤が約０．１重量％から約２０重量％の量で存在する、請求項１記載の印刷インキ。
【請求項５】
溶剤がエステル、アルコールあるいはそれらの組み合わせである、請求項４記載の印刷インキ。
【請求項６】
エステル溶剤が約１０重量％から約４０重量％の量で存在し、アルコール溶剤が１０重量％から約７０重量％の量で存在する、請求項５記載の印刷インキ。
【請求項７】
アルコール溶剤が２０重量％から約６０重量％の量で存在し、ポリウレタン樹脂は、少なくとも約２３，０００の分子量を有し、約３０重量％から約４０重量％の量で存在し、着色剤は０．１重量％から約１０重量％の量で存在する、請求項６記載の印刷インキ。
【請求項８】
ワックスがアミドワックス、エルカミドワックス、ポリプロピレンワックス、パラフィンワックス、ポリエチレンワックス、ポリエチレンテレフタレート、カルナバワックスおよびそれらの組み合わせからなる群から選択され、４重量％以下の量で存在する、請求項４記載の印刷インキ。
【請求項９】
１５重量％を超えない量でニトロセルロース樹脂をさらに含む、請求項１記載の印刷インキ。
【請求項１０】
約０．１重量％から約４重量％の量で、溶解性等級ＳＳのニトロセルロース樹脂をさらに含み、該ニトロセルロース樹脂が約０．１重量％から約４重量％の量で存在し、ポリウレタン樹脂は少なくとも約２３，０００の分子量を有する半脂肪族の樹脂であり、約３０重量％から約４０重量％の量で存在し、溶剤はエステルとアルコールの組み合わせであり、約１０重量％から約４０重量％の量で存在し、着色剤が有機顔料および無機顔料から成る群から選択され、０．１重量％から約２０重量％の量で存在し、さらに約４重量％までの量のワックスを含む、請求項１記載の印刷インキ。
【請求項１１】
インキが基体に適用されるフレキソ印刷方法において、該インキとして請求項１、２、３、または１０記載のインキを使用することを含むフレキソ印刷方法。
【請求項１２】
インキが基体に適用されるグラビア印刷方法において、該インキとして請求項１、２、３、または１０記載のインキを使用することを含むグラビア印刷方法。
【請求項１３】
請求項１、２、３、または１０記載の印刷インキで印刷された不織布基体。
【請求項１４】
基板がポリエチレン、ポリプロピレン、ポリエステル、ナイロンおよびそれらの組み合わせから成る群から選択される、請求項１３記載の不織布基体。
【手続補正２】
【補正対象書類名】明細書
【補正対象項目名】００４６
【補正方法】変更
【補正の内容】
【００４６】
本発明はそれの好ましい実施態様から記述されたが、当業者により理解されるように、より広く適用可能である。本発明の範囲は特許請求の範囲のみにより制限される。
本発明は以下の実施態様を包含する。
第１項：ａ．  少なくとも６の摩擦レイティングを有するポリウレタン樹脂；
ｂ．有機溶剤；および
ｃ．着色剤を含む印刷インキ。
第２項：ポリウレタン樹脂が少なくとも１つの脂肪族ジイソシアネートおよび少なくとも１つの芳香族ジイソシアネートの混合物と、少なくとも１つのイソシアネート反応性化合物との反応生成物である、前記第１項記載の印刷インキ。
第３項：ポリウレタン樹脂が少なくとも１０，０００の分子量を有する、前記第１項記載の印刷インキ。
第４項：ポリウレタン樹脂が約１０重量％から約６０重量％の量で存在し、溶剤が約１重量％から約７０重量％の量で存在し、着色剤が約０．１重量％から約２０重量％の量で存在する、前記第１項記載の印刷インキ。
第５項：  溶剤がエステル、アルコールあるいはそれらの組み合わせである、前記第４項記載の印刷インキ。
第６項：エステル溶剤が酢酸プロピル、酢酸エチル、酢酸ブチル、酢酸イソプロピル、プロピレングリコールモノメチルエーテルアセテートおよびそれらの組み合わせから成る群から選択され、
アルコール溶剤が、エタノール、プロパノール、イソプロピルアルコール、１−エトシル−２−プロパノール、プロピレングリコール  ｎ−プロピルエーテル、ジプロピレングリコール、ｎ−ブチルエーテル、ジアセトンアルコール、メチルアミルアルコールおよびそれらの組み合わせから成る群から選択される、前記第５項記載の印刷インキ。
第７項：エステル溶剤が約１０重量％から約４０重量％の量で存在し、アルコール溶剤が１０重量％から約７０重量％の量で存在する、前記第６記載の印刷インキ。
第８項：エステル溶剤が酢酸プロピル、エタノールまたはそれらの組み合わせを含む、前記第７項記載の印刷インキ。
第９項：アルコール溶剤が２０重量％から約６０重量％の量で存在し、ポリウレタン樹脂は、少なくとも約２３，０００の分子量を有し、約３０重量％から約４０重量％の量で存在し、着色剤は０．１重量％から約１０重量％の量で存在する、前記第８項記載の印刷インキ。
第１０項：着色剤がピグメントイエロー１２、ピグメントイエロー１３、ピグメントイエロー１４、ピグメントイエロー１７、ピグメントイエロー７４、ピグメントイエロー８３、ピグメントレッド２、ピグメントレッド２２、ピグメントレッド２３、ピグメントレッド４８：１、ピグメントレッド４８：２、ピグメントレッド５２、ピグメントレッド５３、ピグメントレッド５７：１、ピグメントレッド１２２、ピグメントレッド１６６、ピグメントレッド１７０、ピグメントレッド２６６、ピグメントオレンジ５、ピグメントオレンジ１６、ピグメントオレンジ３４、ピグメントオレンジ３６、ピグメントブルー１５：３、ピグメントブルー１５：４、ピグメントバイオレット３、ピグメントバイオレット２７、ピグメントグリーン７、酸化鉄、ピグメントホワイト６、ピグメントホワイト７およびピグメントブラック７およびそれらの組み合わせからなる群から選択される顔料である、前記第９項記載の印刷インキ。
第１１項：ワックスがアミドワックス、エルカミドワックス、ポリプロピレンワックス、パラフィンワックス、ポリエチレンワックス、ポリエチレンテレフタレート、カルナバワックスおよびそれらの組み合わせからなる群から選択され、４重量％以下の量で存在する、前記第４項記載の印刷インキ。
第１２項：ワックスが約０．１重量％から約２重量％の量で存在する、前記第１１項記載の印刷インキ。
第１３項：１５重量％を超えない量でニトロセルロース樹脂をさらに含む、前記第１項記載の印刷インキ。
第１４項：約１重量％から約１０重量％の量で、溶解性等級ＳＳのニトロセルロース樹脂をさらに含み、
溶剤はエステル、アルコールあるいはそれの組み合わせで、約１重量％から約７０重量％の量で存在する、前記第１項記載の印刷インキ。
第１５項：ニトロセルロース樹脂が約０．１重量％から約４重量％の量で存在し、ポリウレタン樹脂は、少なくとも約２０，０００の分子量を有し、約３０重量％から約４０重量％の量で存在し、
溶剤はエステルとアルコールの組み合わせであり、約１０重量％から４０重量％の量で存在する、前記第１４項記載の印刷インキ。
第１６項：着色剤が有機顔料および無機顔料から成る群から選択され、０．１重量％から約２０重量％の量で存在し、
ポリウレタン樹脂は、少なくとも約２３，０００の分子量を有する半脂肪族の樹脂であり、
インキは、さらに約４重量％までの量のワックスを含む、前記第１５記載の印刷インキ。
第１７項：着色剤が０．１重量％から約１重量％の量で存在し、
ワックスは、約０．１重量％から２重量％の量で存在する、前記第１６項記載の印刷インキ。
第１８項：インキが基体に適用されるフレキソ印刷方法において、該インキとして前記第１６項記載のインキを使用することを含むフレキソ印刷方法。
第１９項：インキが基体に適用されるフレキソ印刷方法において、該インキとして前記第３項記載のインキを使用することを含むフレキソ印刷方法。
第２０項：インキが基体に適用されるフレキソ印刷方法において、該インキとして前記第２項記載のインキを使用することを含むフレキソ印刷方法。
第２１項：インキが基体に適用されるフレキソ印刷方法において、該インキとして前記第１項記載のインキを使用することを含むフレキソ印刷方法。
第２２項：インキが基体に適用されるグラビア印刷方法において、該インキとして前記第１項記載のインキを使用することを含むグラビア印刷方法。
第２３項：インキが基体に適用されるグラビア印刷方法において、該インキとして前記第２項記載のインキを使用することを含むグラビア印刷方法。
第２４項：インキが基体に適用されるグラビア印刷方法において、該インキとして前記第３項記載のインキを使用することを含むグラビア印刷方法。
第２５項：インキが基体に適用されるグラビア印刷方法において、該インキとして前記第１６項記載のインキを使用することを含むグラビア印刷方法。
第２６項：前記第１項記載の印刷インキで印刷された不織布基体。
第２７項：前記第２項記載の印刷インキで印刷された不織布基体。
第２８項：前記第３項記載の印刷インキで印刷された不織布基体。
第２９項：前記第１６項記載の印刷インキで印刷された不織布基体。
第３０項：基板がポリエチレン、ポリプロピレン、ポリエステル、ナイロンおよびそれらの組み合わせから成る群から選択される、前記第２７項記載の不織布基体。